(57)【要約】【課題】照明器具の消費電力の低減を図ることが可能な照明制御システム、照明制御方法、及びプログラムを提供する。【解決手段】照明制御システム１０は、電源制御部１５と照明制御部１６と判断部１７とを備える。電源制御部１５は、照明器具３に供給される電力を制御する。照明制御部１６は、照明器具３の照明状態を制御する。判断部１７は、消灯対象の照明器具３への電力供給の停止が可能であるか否かを判断する。消灯対象の照明器具３への電力供給の停止が可能であると判断部１７が判断した場合、電源制御部１５は、消灯対象の照明器具３へ電力供給を停止する。消灯対象の照明器具３への電力供給の停止が不可であると判断部１７が判断した場合、電源制御部１５は、消灯対象の照明器具３への電力供給を維持し、かつ、照明制御部１６は、消灯対象の照明器具３の照明状態が消灯状態となるように制御する。【選択図】図１
2018006221.tif 000002
【特許請求の範囲】
【請求項１】
照明器具に供給される電力を制御する電源制御部と、
前記照明器具の照明状態を制御する照明制御部と、
消灯対象の照明器具への電力供給の停止が可能であるか否かを判断する判断部とを備え、
前記消灯対象の照明器具への電力供給の停止が可能であると前記判断部が判断した場合、前記電源制御部は、前記消灯対象の照明器具へ電力供給を停止し、
前記消灯対象の照明器具への電力供給の停止が不可であると前記判断部が判断した場合、前記電源制御部は、前記消灯対象の照明器具への電力供給を維持し、かつ、前記照明制御部は、前記消灯対象の照明器具の照明状態が消灯状態となるように制御する
ことを特徴とする照明制御システム。
【請求項２】
前記電源制御部及び前記照明制御部の制御対象として前記照明器具が複数あり、
前記電源制御部は、前記複数の照明器具のうち１以上の前記照明器具で構成されたグループを単位にして、１つのグループに属する前記１以上の照明器具に供給される電力を一括して制御しており、
前記判断部は、
前記消灯対象の照明器具が属するグループにおいて、当該グループを構成する前記１以上の照明器具のうち消灯状態である照明器具を除いた残りの照明器具の全てが消灯対象であるか否かを判断する対象判断処理を行い、
前記対象判断処理において、前記残りの照明器具の全てが消灯対象であると判断した場合、前記消灯対象の照明器具への電力供給の停止が可能であると判断する
ことを特徴とする請求項１に記載の照明制御システム。
【請求項３】
前記電源制御部及び前記照明制御部の制御対象として前記照明器具が複数あり、
前記電源制御部は、前記複数の照明器具のうち１以上の前記照明器具で構成されたグループを単位にして、１つのグループに属する前記１以上の照明器具に供給される電力を一括して制御しており、
前記判断部は、
前記消灯対象の照明器具が属するグループにおいて、当該グループを構成する前記１以上の照明器具のうち消灯状態である照明器具を除いた残りの照明器具の全てが消灯対象であるか否かを判断する対象判断処理と、
前記消灯対象の照明器具が属するグループにおける全ての照明器具が、所定の停止可能条件を満たしているか否かを判断する条件判断処理とを行い、
前記判断部は、前記対象判断処理において、前記残りの照明器具の全てが消灯対象であると判断し、かつ、前記条件判断処理において、前記停止可能条件を満たしていると判断した場合、前記消灯対象の照明器具への電力供給の停止が可能であると判断する
ことを特徴とする請求項１に記載の照明制御システム。
【請求項４】
前記停止可能条件には、現在時刻が、電力供給の停止が可能な停止時間帯に属しているという時間帯条件が含まれている
ことを特徴とする請求項３記載の照明制御システム。
【請求項５】
前記停止可能条件には、過去の照明状態の履歴が所定条件を満たすという履歴条件が含まれている
ことを特徴とする請求項３又は４に記載の照明制御システム。
【請求項６】
前記照明状態の履歴は、照明状態が、点灯状態から消灯状態に切り替わった回数と、消灯状態から点灯状態に切り替わった回数との少なくとも一方の回数である切替回数であり、
前記履歴条件は、過去の所定期間における前記切替回数が閾値回数以下であるという条件である
ことを特徴する請求項５に記載の照明制御システム。
【請求項７】
前記停止可能条件には、照明状態の変化のスケジュールにおいて、照明状態が消灯状態から点灯状態に切り替えられる点灯予定時刻が、現在時刻から所定時間以降であるというスケジュール条件が含まれている
ことを特徴とする請求項３〜６のいずれか1項に記載の照明制御システム。
【請求項８】
前記対象判断処理において、前記残りの照明器具に消灯対象ではない照明器具が含まれていると前記判断部が判断した場合、前記消灯対象ではない照明器具に対するグループの再編成の提案情報を出力する情報出力部を更に備える
ことを特徴とする請求項２〜７のいずれか1項に記載の照明制御システム。
【請求項９】
照明器具に供給される電力を制御する電源制御ステップと、
前記照明器具の照明状態を制御する照明制御ステップと、
消灯対象の照明器具への電力供給の停止が可能であるか否かを判断する判断ステップとを含み、
前記消灯対象の照明器具への電力供給の停止が可能であると前記判断ステップで判断された場合、前記電源制御ステップにおいて、前記消灯対象の照明器具へ電力供給を停止し、
前記消灯対象の照明器具への電力供給の停止が不可であると前記判断ステップで判断された場合、前記電源制御ステップにおいて、前記消灯対象の照明器具への電力供給を維持し、かつ、前記照明制御ステップにおいて、前記消灯対象の照明器具の照明状態が消灯状態となるように制御する
ことを特徴とする照明制御方法。
【請求項１０】
コンピュータを、請求項１〜８のいずれか1項に記載の照明制御システムとして機能させるためのプログラム。
【発明の詳細な説明】
【技術分野】
【０００１】
本発明は、照明制御システム、照明制御方法、及びプログラムに関し、より詳細には、照明器具の制御を行う照明制御システム、照明制御方法、及びプログラムに関する。
【背景技術】
【０００２】
従来、照明機器の制御を行う電源分離照明制御システムがある（例えば、特許文献１参照）。特許文献１の電源分離照明制御システムは、スイッチングパネルを備えている。スイッチングパネルは、照明機器のスイッチング指令又は調光指令を発信し、照明機器とは別の電源で作動する。照明機器には、照明制御装置が一体に設けてある。照明制御装置は、スイッチングパネルからの指令を受信し、照明機器の制御を行う。
【先行技術文献】
【特許文献】
【０００３】
【特許文献１】特開２００１−２９１５９７号公報
【発明の概要】
【発明が解決しようとする課題】
【０００４】
特許文献１の照明制御システム（電源分離照明制御システム）は、照明器具（照明機器）が電力供給ケーブルに接続されており、照明器具には常に電力供給がされている状態である。したがって、光源が消灯している場合であっても待機電力が発生していた。照明制御システムの分野において、照明器具の消費電力の低減が望まれている。
【０００５】
本発明は、上記事由に鑑みてなされており、その目的は、照明器具の消費電力の低減を図ることが可能な照明制御システム、照明制御方法、及びプログラムを提供することにある。
【課題を解決するための手段】
【０００６】
本発明の一態様に係る照明制御システムは、電源制御部と照明制御部と判断部とを備えている。前記電源制御部は、照明器具に供給される電力を制御する。前記照明制御部は、前記照明器具の照明状態を制御する。前記判断部は、消灯対象の照明器具への電力供給の停止が可能であるか否かを判断する。前記消灯対象の照明器具への電力供給の停止が可能であると前記判断部が判断した場合、前記電源制御部は、前記消灯対象の照明器具へ電力供給を停止する。前記消灯対象の照明器具への電力供給の停止が不可であると前記判断部が判断した場合、前記電源制御部は、前記消灯対象の照明器具への電力供給を維持し、かつ、前記照明制御部は、前記消灯対象の照明器具の照明状態が消灯状態となるように制御する。
【０００７】
本発明の一態様に係る照明制御方法は、電源制御ステップと照明制御ステップと判断ステップとを含む。前記電源制御ステップは、照明器具に供給される電力を制御する。前記照明制御ステップは、前記照明器具の照明状態を制御する。前記判断ステップは、消灯対象の照明器具への電力供給の停止が可能であるか否かを判断する。前記消灯対象の照明器具への電力供給の停止が可能であると前記判断ステップで判断された場合、前記電源制御ステップにおいて、前記消灯対象の照明器具へ電力供給を停止する。前記消灯対象の照明器具への電力供給の停止が不可であると前記判断ステップで判断された場合、前記電源制御ステップにおいて、前記消灯対象の照明器具への電力供給を維持し、かつ、前記照明制御ステップにおいて、前記消灯対象の照明器具の照明状態が消灯状態となるように制御する。
【０００８】
本発明の一態様に係るプログラムは、コンピュータを上記の照明制御システムとして機能させる。
【発明の効果】
【０００９】
本発明の照明制御システム、照明制御方法、及びプログラムでは、照明器具の消費電力の低減を図ることが可能となる。
【図面の簡単な説明】
【００１０】
【図１】図１は、本発明の実施形態１に係る照明制御システムのブロック図である。
【図２】図２は、同上の照明制御システムを含む全体構成を示すシステム構成図である。
【図３】図３は、本発明の実施形態１に係る照明器具のブロック図である。
【図４】図４は、本発明の実施形態１に係る照明制御システムにおける消灯動作を示すフローチャートである。
【図５】図５は、本発明の実施形態１の変形例に係る照明制御システムにおける提案情報の出力処理動作を示すフローチャートである。
【図６】図６は、本発明の実施形態２に係る照明制御システムにおける消灯動作を示すフローチャートである。
【発明を実施するための形態】
【００１１】
以下、本発明の実施の形態を図面に基づいて説明する。
【００１２】
（実施形態１）
＜概要＞
本実施形態の照明制御システム１０について、図１〜図５を用いて説明する。本実施形態の照明制御システム１０は、コントローラ１で構成されており、複数（図２では６つ）の照明器具３に対して、照明状態と電力の供給状態との制御を行う。
【００１３】
コントローラ１は、照明制御用の通信線４を介して複数（図２では２つ）の中継器５０と接続されている。コントローラ１は、中継器５０を介して照明器具３と通信する機能を有している。コントローラ１は、複数の照明器具３に対して照明制御信号を送信することにより、複数の照明器具３の照明状態を個別又は一括に制御する。なお、複数の中継器５０を区別して説明する場合、中継器５０Ａ，５０Ｂという。また、複数の照明器具３を区別して説明する場合、照明器具３Ａ，３Ｂ，３Ｃ，３Ｄ，３Ｅ，３Ｆという。照明器具３、中継器５０それぞれの台数は、上記に限らず他の台数であってもよい。
【００１４】
また、コントローラ１は、２線式の通信線５を介して複数（図２では２つ）のリレー２と接続されており、各リレー２と通信する機能を有している。リレー２は、照明器具３の動作電源として機能する電源部７（例えば商用電源）と接続されている。リレー２がオン状態である場合、オン状態のリレー２に接続された照明器具３に対して電源部７から電力が供給される。リレー２がオフ状態である場合、オフ状態のリレー２に接続された照明器具３に対して電源部７からの電力供給が遮断される。コントローラ１は、リレー２に対して電源制御信号を送信してリレー２の動作状態（オン状態、オフ状態）を制御することにより、照明器具３に供給される電力を制御する。なお、複数のリレー２を区別して説明する場合、リレー２Ａ，２Ｂという。リレー２の台数は、上記に限らず他の台数であってもよい。
【００１５】
本実施形態の照明制御システム１０（コントローラ１）は、光源３２（図３参照）を消灯させる対象（消灯対象）の照明器具３への電力供給の停止が可能であるか否かの判断を行う。コントローラ１は、消灯対象の照明器具３への電力供給の停止が可能であると判断した場合、消灯対象の照明器具３に接続されたリレー２をオフ状態にすることにより、消灯対象の照明器具３への電力供給を停止するように構成されている。これにより、本実施形態の照明制御システム１０は、照明器具３の消費電力の低減を図ることが可能となる。
【００１６】
＜詳細＞
以下に、本実施形態の照明制御システム１０の詳細な構成について説明する。本実施形態の照明制御システム１０は、上述したようにコントローラ１で構成されている。コントローラ１は、複数の照明器具３を制御対象としている。
【００１７】
《照明器具》
照明器具３は、図３に示すように、電源回路３１、光源３２、及び通信部３３を備えている。
【００１８】
電源回路３１は、光源３２、及び通信部３３に対して、光源３２、及び通信部３３を動作させるための電力を供給するように構成されている。具体的には、リレー２がオン状態である場合、リレー２を介して電源部７から電源回路３１に電力が供給される。電源回路３１は、電源部７から供給された電力を必要に応じて電力変換し、光源３２、及び通信部３３に供給することにより、光源３２、及び通信部３３を動作させる。一方、リレー２がオフ状態である場合、電源回路３１には電源部７から電力が供給されない。したがって、電源回路３１は、光源３２、及び通信部３３に電力を供給しないので、光源３２、及び通信部３３は動作しない。図２に示すように、本実施形態では、照明器具３Ａ，３Ｂそれぞれの電源回路３１は、リレー２Ａに接続され、照明器具３Ｃ〜３Ｆそれぞれの電源回路３１は、リレー２Ｂに接続されている。
【００１９】
光源３２は、例えばＬＥＤ（Light Emitting Diode）であり、電源回路３１から供給される電力により発光するように構成されている。電源回路３１は、光源３２に供給する電力の大きさを制御することにより、光源３２の調光及び調色を行うように構成されている。
【００２０】
通信部３３は、無線又は有線による通信を中継器５０と行うように構成されている。本実施形態では、中継器５０Ａは、無線（例えば特定小電力無線）で照明器具３と通信を行う機器である。中継器５０Ｂは、有線で照明器具３と通信を行う機器である。照明器具３Ａ，３Ｂそれぞれの通信部３３は、中継器５０Ａとの間で無線通信を行う。照明器具３Ｃ〜３Ｆそれぞれの通信部３３は、中継器５０Ｂとの間で有線通信を行う。したがって、中継器５０Ａを介してコントローラ１と照明器具３Ａ，３Ｂとの間で通信が行われ、中継器５０Ｂを介してコントローラ１と照明器具３Ｃ〜３Ｆとの間で通信が行われる。
【００２１】
《コントローラ》
コントローラ１は、図１に示すように、第１通信部１１、第２通信部１２、記憶部１３、及び処理部１４を備えている。
【００２２】
第１通信部１１は、通信線４に接続されており、リレー２Ａ，２Ｂと通信可能に構成されている。
【００２３】
第２通信部１２は、通信線５に接続されており、照明器具３Ａ〜３Ｆと通信可能に構成されている。
【００２４】
記憶部１３は、ＲＯＭ（Read Only Memory）、ＲＡＭ（Random Access Memory）、又はＥＥＰＲＯＭ（Electrically Erasable Programmable Read Only Memory）等で構成されている。
【００２５】
処理部１４は、マイコン（マイクロコンピュータ）を主構成とし、プロセッサがメモリに記憶されたプログラムを実行することにより所望の機能を実現する。なお、プログラムは、予めメモリに書き込まれていてもよいが、メモリカードのような記憶媒体に記憶されて提供されてもよいし、電気通信回線を通じて提供されてもよい。処理部１４は、電源制御部１５、照明制御部１６、及び判断部１７としての機能を有している。
【００２６】
電源制御部１５は、第１通信部１１を介してリレー２に電源制御信号を送信しリレー２の動作状態を制御することにより、照明器具３に供給される電力を制御するように構成されている。リレー２は、受信した電源制御信号に基づいて動作状態をオン状態、又はオフ状態とする。電源制御部１５は、リレー２をオン状態に制御することにより、リレー２に接続された照明器具３に電源部７から電力を供給させる。電源制御部１５は、リレー２をオフ状態に制御することにより、リレー２に接続された照明器具３への電力供給を停止させる。
【００２７】
また、電源制御部１５は、１以上の照明器具３で構成されたグループ３０を単位にして、１つのグループ３０に属する照明器具３に供給される電力を一括して制御する。本実施形態では、図２に示すように、リレー２Ａに照明器具３Ａ，３Ｂが接続されており、照明器具３Ａ，３Ｂでグループ３０Ａを構成している。また、リレー２Ｂに照明器具３Ｃ〜３Ｆが接続されており、照明器具３Ｃ〜３Ｆでグループ３０Ｂを構成している。電源制御部１５は、リレー２Ａの動作状態を制御することにより、グループ３０Ａに属する照明器具３Ａ，３Ｂに供給される電力を一括して制御する。また、電源制御部１５は、リレー２Ｂの動作状態を制御することにより、グループ３０Ｂに属する照明器具３Ｃ〜３Ｆに供給される電力を一括して制御する。
【００２８】
照明制御部１６は、第２通信部１２を介して照明器具３に照明制御信号を送信することにより、照明器具３の照明状態を制御するように構成されている。照明器具３は、受信した照明制御信号に基づいて照明状態を変化させる。照明状態とは、照明器具３が有する光源３２の状態であり、光源３２が点灯している点灯状態と、光源３２が消灯している消灯状態とが含まれる。また、照明器具３は、照明制御信号が示す調光率で光源３２を点灯させる調光機能を有しており、点灯状態には、光源３２が１００％の調光率で点灯している全点灯状態と、光源３２が１００％未満の調光率で点灯している調光点灯状態とが含まれる。また、消灯状態とは、照明制御部１６による照明状態の制御で見掛け上、光源３２が消灯している状態であり、光源３２の調光率が０％である状態だけでなく、光源３２の調光率が所定調光率（例えば１０％）以下である状態を含む。つまり、光源３２が、全点灯時の１０分の１以下の調光率で点灯している状態も、本実施形態では消灯状態という。
【００２９】
照明制御部１６は、スイッチ装置６１からの制御命令に基づいて、対象の照明器具３の照明状態を制御する。スイッチ装置６１は、例えば壁に設けられており、通信線４に接続されている。スイッチ装置６１は、例えば複数のプッシュボタンスイッチを備えている。各プッシュボタンスイッチは、１つの照明器具３、あるいはグループ３０と対応付けられている。スイッチ装置６１は、プッシュボタンスイッチが押されると、押されたプッシュボタンスイッチに対応する照明器具３、あるいは対応するグループ３０に属する照明器具３の照明状態を指示する制御命令をコントローラ１に出力する。例えば、グループ３０Ａに対応付けられたプッシュボタンが押されるたびに、スイッチ装置６１は、照明器具３Ａ，３Ｂの照明状態を点灯状態に指示する制御命令と、消灯状態に指示する制御命令とを交互にコントローラ１に出力する。照明制御部１６は、スイッチ装置６１からの制御命令に基づいて、制御対象である照明器具３Ａ，３Ｂの照明状態を制御する。例えば、スイッチ装置６１からの制御命令が、照明器具３Ａ，３Ｂの照明状態を消灯状態とする命令である場合、照明制御部１６は、消灯対象である照明器具３Ａ，３Ｂの照明状態を点灯状態から消灯状態に切り替える。
【００３０】
また、照明制御部１６は、記憶部１３に記憶されたスケジュールに基づいて、照明器具３の照明状態を制御する。スケジュールは、照明器具３あるいはグループ３０ごとに対応しており、対応する照明器具３、あるいは対応するグループ３０に属する照明器具３の照明状態の変化の予定である。このスケジュールは、例えば、ルータ６３を介して無線信号によりコントローラ１と通信可能に構成された操作端末６２（例えば、スマートフォン、タブレット端末等）によって、記憶部１３に登録（記憶）される。例えば、照明制御部１６は、スケジュールに基づいて、現在時刻が点灯予定時刻に達した場合、点灯対象の照明器具３の照明状態を点灯状態に制御する。また、照明制御部１６は、現在時刻が消灯予定時刻に達した場合、消灯対象の照明器具３の照明状態を消灯状態に制御する。
【００３１】
スイッチ装置６１からの制御命令、又はスケジュールによる消灯対象の照明器具３に対して、電源制御部１５は、判断部１７の判断結果に基づいて、電力供給の継続、又は電力供給の停止を行う。
【００３２】
判断部１７は、消灯対象の照明器具３への電力供給の停止が可能であるか否かを判断するように構成されている。具体的には、判断部１７は、対象判断処理と条件判断処理との判断結果に基づいて、消灯対象の照明器具３への電力供給の停止が可能であるか否かを判断する。
【００３３】
対象判断処理とは、消灯対象の照明器具３が属するグループ３０において、当該グループ３０を構成する照明器具３のうち消灯状態である照明器具３を除いた残りの照明器具３の全てが消灯対象であるか否かの判断処理である。以降、「消灯対象の照明器具３が属するグループ３０において、当該グループ３０を構成する照明器具３のうち消灯状態である照明器具３を除いた残りの照明器具３」を残照明器具３と略して説明する場合がある。判断部１７は、対象判断処理において、消灯対象の照明器具３が属するグループ３０から残照明器具３を抽出し、残照明器具３の全てが消灯対象であるか否かを判断する。例えば、グループ３０Ｂにおいて、照明器具３Ｃ，３Ｄが消灯対象であり、照明器具３Ｅ，３Ｆが既に消灯状態であると仮定する。この場合、判断部１７は、対象判断処理において、残照明器具３（照明器具３Ｃ，３Ｄ）の全てが消灯対象であると判断する。また、例えば、照明器具３Ｃ，３Ｄが消灯対象であり、照明器具３Ｅが既に消灯状態であり、照明器具３Ｆが点灯状態であると仮定する。この場合、判断部１７は、対象判断処理において、残照明器具３（照明器具３Ｃ，３Ｄ，３Ｆ）に消灯対象ではない照明器具３（照明器具３Ｆ）が含まれていると判断する。言い換えれば、判断部１７は、対象判断処理において、残照明器具３（照明器具３Ｃ，３Ｄ，３Ｆ）に点灯状態の照明器具３（照明器具３Ｆ）が含まれていると判断する。
【００３４】
条件判断処理とは、消灯対象の照明器具３が属するグループ３０における全ての照明器具３が、所定の停止可能条件を満たしているか否かの判断処理である。本実施形態では、停止可能条件に、時間帯条件、履歴条件、及びスケジュール条件が含まれている。判断部は、条件判断処理において、時間帯条件、履歴条件、及びスケジュール条件の全ての条件を満足する場合、停止可能条件を満たしていると判断する。
【００３５】
時間帯条件とは、現在時刻が、電力供給の停止が可能な停止時間帯に属しているという条件である。停止時間帯は、照明器具３、あるいはグループ３０ごとに対応しており、対応する照明器具３、あるいは対応するグループ３０に属する照明器具３への電力供給の停止を許可する時間帯である。つまり、停止時間帯とは異なる時間帯は、電力供給の停止を禁止する時間帯である。停止時間帯は、例えば操作端末６２によって記憶部１３に登録（記憶）される。停止時間帯は、照明器具３の光源３２を点灯させる頻度が低い時間帯（例えば２３時から翌日の５時までの時間帯）に設定されることが好ましい。判断部１７は、時間帯条件を満たす場合、現在時刻が照明器具３の照明状態が頻繁に点灯状態になる時間帯ではないことを認識することができる。
【００３６】
履歴条件とは、過去の照明状態の履歴が所定条件を満たすという条件である。具体的には、照明状態の履歴とは、照明状態が消灯状態から点灯状態に切り替わった切替回数であり、履歴条件とは、過去の所定期間における切替回数が閾値回数以下であるという条件である。なお、切替回数は、照明状態が点灯状態から消灯状態に切り替わった回数、又は、照明状態が消灯状態から点灯状態に切り替わった回数と照明状態が点灯状態から消灯状態に切り替わった回数との合計回数等であってもよい。例えば、履歴条件は、過去の１日間（例えば、前日、１週間前の同曜日）における切替回数が２０回以下であるという条件、現在時刻から１０分前までの期間における切替回数が５回以下であるという条件等がある。判断部１７は、履歴条件を満たす場合、照明器具３の照明状態が頻繁に点灯状態になる状況ではないと推定することができる。
【００３７】
スケジュール条件とは、照明状態の変化のスケジュールにおいて、照明状態が消灯状態から点灯状態に切り替えられる点灯予定時刻が、現在時刻から所定時間（例えば、１時間）以降であるという条件である。つまり、スケジュール条件は、現在時刻から所定時間以内に、照明器具３を点灯状態にする予定がないという条件である。判断部１７は、スケジュール条件を満たす場合、照明器具３の照明状態が近い将来に点灯状態になる予定がないことを認識することができる。
【００３８】
判断部１７は、対象判断処理と条件判断処理との両方の判断結果が肯定である場合、消灯対象の照明器具３への電力供給の停止が可能であると判断する。つまり、判断部１７は、対象判断処理において、残照明器具３の全てが消灯対象であると判断し、かつ、条件判断処理において、停止可能条件を満たすと判断した場合、消灯対象の照明器具３への電力供給の停止が可能であると判断する。また、判断部１７は、対象判断処理と条件判断処理との少なくとも一方が否定である場合、消灯対象の照明器具３への電力供給の停止が不可であると判断する。
【００３９】
消灯対象の照明器具３への電力供給の停止が可能であると判断部１７が判断した場合、電源制御部１５は、消灯対象の照明器具３に接続されたリレー２をオフ状態に制御する。これにより、消灯対象の照明器具３が属するグループ３０における全ての照明器具３への電力供給が停止され、光源３２が消灯する。なお、電源制御部１５がリレー２をオフ状態に制御する前に、照明制御部１６が、消灯対象の照明器具３が属するグループ３０の全ての照明器具３が消灯状態となるように制御してもよい。
【００４０】
また、消灯対象の照明器具３への電力供給の停止が不可であると判断部１７が判断した場合、電源制御部１５は、消灯対象の照明器具３に接続されたリレー２をオン状態に維持し、照明制御部１６は、消灯対象の照明器具３を消灯状態にする。これにより、消灯対象の照明器具３が属するグループ３０における全ての照明器具３への電力供給が維持された状態で、消灯対象の照明器具３の光源３２が消灯する。
【００４１】
＜動作例＞
本実施形態の照明制御システム１０（コントローラ１）の動作例について説明する。以下に、本実施形態の照明制御システム１０（コントローラ１）による、照明器具３の光源３２を消灯する消灯動作について、図４に示すフローチャートを用いて説明する。
【００４２】
まず、判断部１７は、対象判断処理を行う（Ｓ１）。判断部１７は、対象判断処理において、消灯対象の照明器具３が属するグループ３０を構成する照明器具３のうち、消灯状態である照明器具３を除いた残りの照明器具３（残照明器具３）の全てが消灯対象であるか否かを判断する。
【００４３】
判断部１７は、対象判断処理において、残照明器具３の全てが消灯対象であると判断した場合（Ｓ１：Ｙｅｓ）、条件判断処理を行う。判断部１７は、条件判断処理において、消灯対象の照明器具３が属するグループ３０における全ての照明器具３が、停止可能条件を満たしているか否かの判断処理を行う。まず、判断部１７は、停止可能条件のうち時間帯条件を満たしているか否かの判断処理を行う（Ｓ２）。つまり、判断部１７は、現在時刻が、電力供給の停止が可能な停止時間帯に属しているという条件を満たしているか否かを判断する。
【００４４】
判断部１７は、時間帯条件の判断処理において、時間帯条件を満たしていると判断した場合（Ｓ２：Ｙｅｓ）、停止可能条件のうち履歴条件を満たしているか否かの判断処理を行う（Ｓ３）。つまり、判断部１７は、過去の照明状態の履歴が所定条件を満たすという条件を満たしているか否かを判断する。
【００４５】
判断部１７は、履歴条件の判断処理において、履歴条件を満たしていると判断した場合（Ｓ３：Ｙｅｓ）、停止可能条件のうちスケジュール条件を満たしているか否かの判断処理を行う（Ｓ４）。つまり、判断部１７は、照明状態の変化のスケジュールにおいて、照明状態が消灯状態から点灯状態に切り替えられる点灯予定時刻が、現在時刻から所定時間以降であるという条件を満たしているか否かを判断する。
【００４６】
判断部１７は、スケジュール条件の判断処理において、スケジュール条件を満たしていると判断した場合（Ｓ４：Ｙｅｓ）、消灯対象の照明器具３への電力供給の停止が可能であると判断する。そして、電源制御部１５は、消灯対象の照明器具３に接続されたリレー２をオフ状態に制御する（Ｓ５）。これにより、消灯対象の照明器具３が属するグループ３０における全ての照明器具３への電力供給が停止され、光源３２が消灯する。
【００４７】
また、判断部１７は、残照明器具３に消灯対象ではない照明器具３が含まれていると判断した場合（Ｓ１：Ｎｏ）、消灯対象の照明器具３への電力供給の停止が不可であると判断する。また、判断部１７は、時間帯条件を満たしていないと判断した場合（Ｓ２：Ｎｏ）、消灯対象の照明器具３への電力供給の停止が不可であると判断する。また、判断部１７は、履歴条件を満たしていないと判断した場合（Ｓ３：Ｎｏ）、消灯対象の照明器具３への電力供給の停止が不可であると判断する。また、判断部１７は、スケジュール条件を満たしていないと判断した場合（Ｓ４：Ｎｏ）、消灯対象の照明器具３への電力供給の停止が不可であると判断する。
【００４８】
消灯対象の照明器具３への電力供給の停止が不可であると判断部１７が判断した場合、電源制御部１５は、消灯対象の照明器具３に接続されたリレー２をオン状態に維持する（Ｓ６）。これにより、消灯対象の照明器具３が属するグループ３０における全ての照明器具３への電力供給は維持される。そして、照明制御部１６は、消灯対象の照明器具３の照明状態を消灯状態にする（Ｓ７）。したがって、消灯対象の照明器具３が属するグループ３０における全ての照明器具３への電力供給が維持された状態で、消灯対象の照明器具３の光源３２が消灯する。
【００４９】
次に、本実施形態の照明制御システム１０（コントローラ１）による、照明器具３の光源３２を点灯させる点灯動作について説明する。
【００５０】
照明器具３の光源３２を点灯させる場合、電源制御部１５は、点灯対象の照明器具３に接続されたリレー２の動作状態を確認する。リレー２がオフ状態である場合、電源制御部１５は、リレー２をオン状態にし、電源部７から点灯対象の照明器具３に電力を供給させる。このとき、電源制御部１５は、点灯対象の照明器具３が属するグループ３０において、点灯対象ではない照明器具３が含まれている場合であっても、点灯対象の照明器具３に接続されたリレー２をオン状態とする。
【００５１】
照明器具３は、電源が投入（電源部７からの電力供給が開始）された際に、例えばマイコン等を起動するための起動時間を要する場合がある。そこで、照明制御部１６は、電源制御部１５がリレー２をオン状態にしてから、照明器具３の起動時間よりも長い時間が経過した後に、照明状態を点灯状態とする。
【００５２】
また、照明制御部１６は、点灯対象の照明器具３の光源３２を点灯させる際に、消灯前の点灯状態（調光率）を再現するように制御してもよい。コントローラ１は、照明器具３の光源３２を消灯させる際に、点灯状態（調光率）を記憶部１３に記憶する。照明制御部１６は、記憶部１３に記憶されている調光率で点灯対象の照明器具３の光源３２を点灯させる。例えば、調光率８０％で点灯している光源３２を消灯する際に、照明器具３の識別情報と調光率８０％というデータが対応付けられて記憶部１３に記憶される。この照明器具３の光源３２を再び点灯させる場合、照明制御部１６は、記憶部１３に記憶されたデータに基づいて、調光率８０％で光源３２を点灯させる。
【００５３】
また、コントローラ１は、上述した消灯動作、点灯動作を用いて、グループ点灯、グループ消灯、パターン点灯、フェード制御、遅れ消灯、一時点灯等の照明制御が可能である。グループ点灯とは、複数の照明器具３の全ての光源３２を略同時に点灯させる照明制御である。グループ消灯とは、複数の照明器具３の全ての光源３２を略同時に消灯させる照明制御である。パターン点灯とは、複数の照明器具３の各々を所定の調光率で点灯させる照明制御である。フェード制御とは、光源３２の調光率を徐々に増加又は減少させる照明制御である。遅れ消灯とは、消灯命令を受けてから一定時間後に光源３２を消灯させる照明制御である。一時点灯とは、点灯命令を受けてから一定時間の間、光源３２を点灯させたのちに消灯させる照明制御である。
【００５４】
＜変形例＞
次に、本実施形態の照明制御システム１０（コントローラ１）の変形例について説明する。なお、以下に説明する変形例は、上記実施形態と適宜組み合わせて適用可能である。
【００５５】
図１に示すように、コントローラ１の処理部１４は、情報出力部１８としての機能を更に有していてもよい。情報出力部１８は、対象判断処理において、残照明器具３に消灯対象ではない照明器具３（点灯状態の照明器具３）が含まれていると判断部１７が判断した場合、消灯対象ではない照明器具３に対するグループ３０の再編成の提案情報を出力する。情報出力部１８における、提案情報の出力処理の一例について、図５に示すフローチャートを用いて説明する。
【００５６】
情報出力部１８は、照明状態の過去の履歴に基づいて、所定期間（例えば１時間）ごとに消灯割合を算出する（Ｓ１１）。消灯割合とは、グループ３０における照明器具３の全ての台数に対する消灯状態の照明器具３の台数の割合である。例えば、グループ３０Ｂにおいて、所定期間の間、照明器具３Ｃ〜３Ｅが消灯状態であり、照明器具３Ｆが点灯状態である場合、消灯割合は７５％となる。なお、情報出力部１８は、照明状態の変化のスケジュールに基づいて、予測値として消灯割合を算出してもよい。
【００５７】
情報出力部１８は、消灯割合の対象期間が、電力の料金単価が閾値単価よりも高い時間帯（高料金時間帯）に含まれているか否かを判断する（Ｓ１２）。消灯割合の対象期間が高料金時間帯に含まれている場合（Ｓ１２：Ｙｅｓ）、情報出力部１８は、消灯割合と第１閾値割合（例えば５０％）とを比較する（Ｓ１３）。
【００５８】
情報出力部１８は、消灯割合が第１閾値割合以上である場合（Ｓ１３：Ｙｅｓ）、消灯対象ではない照明器具３に対するグループ３０の再編成の提案情報を出力する（Ｓ１４）。例えば、提案情報は、消灯割合が高いグループ３０に属する照明器具３への電力供給を停止して消費電力の低減させるために、点灯状態の照明器具３を他のグループ３０への編入を提案する情報である。情報出力部１８は、例えばスマートフォン、タブレット端末等で構成された操作端末６２に、提案情報を出力する。
【００５９】
消灯割合の対象期間が高料金時間帯に含まれていない場合（Ｓ１２：Ｎｏ）、情報出力部１８は、コントローラ１の動作モードが省エネルギーモードであるか否かを判断する（Ｓ１５）。省エネルギーモードとは、照明器具３の消費電力を抑制するための動作モードである。動作モードが省エネルギーモードである場合（Ｓ１５：Ｙｅｓ）、情報出力部１８は、消灯割合と第１閾値割合とを比較する（Ｓ１３）。また、動作モードが省エネルギーモードでない場合（Ｓ１５：Ｎｏ）、情報出力部１８は、消灯割合と、第１閾値割合よりも値が大きい第２閾値割合（例えば７５％）とを比較する（Ｓ１６）。情報出力部１８は、消灯割合が第２閾値以上である場合（Ｓ１６：Ｙｅｓ）、消灯対象ではない照明器具３に対するグループ３０の再編成の提案情報を出力する（Ｓ１４）。
【００６０】
ステップＳ１３において消灯割合が第１閾値未満である場合（Ｓ１３：Ｎｏ）、及びステップＳ１６において消灯割合が第２閾値未満である場合（Ｓ１６：Ｎｏ）、情報出力部１８は、提案情報を出力しない（Ｓ１７）。
【００６１】
また、判断部１７は、停止可能条件のうち少なくとも時間帯条件を満たしておらず、グループ３０内の全ての照明器具３が消灯状態のまま現在時刻が停止時間帯に達した場合、条件判断処理を再度行ってもよい。そして、判断部１７は、条件判断処理において、停止可能条件を満たす場合、照明器具３への電力供給の停止が可能であると判断する。
【００６２】
また、電源制御部１５は、停止時間帯の終了時にリレー２がオフ状態である場合、このリレー２をオン状態にし、照明器具３への電力供給を開始させてもよい。
【００６３】
また、判断部１７は、停止可能条件のうち少なくとも履歴条件を満たしておらず、グループ３０内の全ての照明器具３が消灯状態となった場合、所定時間後に条件判断処理を再度行ってもよい。例えば、消灯対象の照明器具３が、現在時刻から１０分前までの期間における切替回数が５回よりも多いので履歴条件を満たしておらず、グループ３０内の全ての照明器具３が消灯状態となったと仮定する。この場合、判断部１７は、１時間後に条件判断処理を再度行う。そして、判断部１７は、条件判断処理において、停止可能条件を満たす場合、照明器具３への電力供給の停止が可能であると判断する。
【００６４】
また、上述した例では、判断部１７は、消灯対象の照明器具３への電力供給の停止が可能であるか否かの判断処理において、対象判断処理を行った後に条件判断処理を行っているが、条件判断処理を行った後に対象判断処理を行ってもよい。
【００６５】
また、上述した例では、判断部１７は、条件判断処理において、時間帯条件、履歴条件、スケジュール条件の順に判断処理を行っているが、これとは異なる順番で判断処理を行ってもよい。また、条件判断処理における停止可能条件には、時間帯条件、履歴条件、及びスケジュール条件の全ての条件が含まれている必要はなく、少なくともいずれか１つの条件が含まれていればよい。つまり、照明器具３の光源３２を消灯する消灯動作において、時間帯条件の判断処理（図４のステップＳ２）、履歴条件の判断処理（図４のステップＳ３）、及びスケジュール条件の判断処理（図４のステップＳ４）のうち、少なくともいずれかの判断処理が含まれていればよい。また、停止可能条件には、複数の履歴条件が含まれていてもよい。また、停止可能条件には、時間帯条件、履歴条件、及びスケジュール条件とは異なる条件が含まれていてもよい。
【００６６】
また、照明制御システム１０は、１つの機器であるコントローラ１で構成されているが、照明制御システム１０の構成要素を、分散して別々の機器が備えていてもよい。
【００６７】
（実施形態２）
本実施形態の照明制御システム１０（コントローラ１）は、判断部１７が対象判断処理の判断結果に基づいて、消灯対象の照明器具３への電力供給の停止が可能であるか否かを判断する。つまり、本実施形態の照明制御システム１０は、照明器具３の光源３２の消灯動作において、実施形態１の照明制御システム１０における条件判断処理を省略している。本実施形態の照明制御システム１０について、実施形態１と異なる点を中心に説明する。実施形態１と同様の構成要素については、同一の符号を付して説明を適宜省略する。
【００６８】
本実施形態の照明制御システム１０（コントローラ１）による、照明器具３の光源３２を消灯する消灯動作について、図６に示すフローチャートを用いて説明する。
【００６９】
まず、判断部１７は、対象判断処理を行う（Ｓ２１）。判断部１７は、対象判断処理において、消灯対象の照明器具３が属するグループ３０を構成する照明器具３のうち、消灯状態である照明器具３を除いた残りの照明器具３（残照明器具３）の全てが消灯対象であるか否かを判断する。
【００７０】
判断部１７は、対象判断処理において、残照明器具３の全てが消灯対象であると判断した場合（Ｓ２１：Ｙｅｓ）、消灯対象の照明器具３への電力供給の停止が可能であると判断する。そして、電源制御部１５は、消灯対象の照明器具３に接続されたリレー２をオフ状態に制御する（Ｓ２２）。これにより、消灯対象の照明器具３が属するグループ３０における全ての照明器具３への電力供給が停止され、光源３２が消灯する。
【００７１】
また、判断部１７は、残照明器具３に消灯対象ではない照明器具３が含まれていると判断した場合（Ｓ２１：Ｎｏ）、消灯対象の照明器具３への電力供給の停止が不可であると判断する。この場合、電源制御部１５は、消灯対象の照明器具３に接続されたリレー２をオン状態に維持する（Ｓ２３）。これにより、消灯対象の照明器具３が属するグループ３０における全ての照明器具３への電力供給は維持される。そして、照明制御部１６は、消灯対象の照明器具３の照明状態を消灯状態にする（Ｓ２４）。これにより、消灯対象の照明器具３が属するグループ３０における全ての照明器具３への電力供給が維持された状態で、消灯対象の照明器具３の光源３２が消灯する。
【００７２】
（まとめ）
以上説明したように、第１態様に係る照明制御システム１０（コントローラ１）は、電源制御部１５と照明制御部１６と判断部１７とを備える。電源制御部１５は、照明器具３に供給される電力を制御する。照明制御部１６は、照明器具３の照明状態を制御する。判断部１７は、消灯対象の照明器具３への電力供給の停止が可能であるか否かを判断する。消灯対象の照明器具３への電力供給の停止が可能であると判断部１７が判断した場合、電源制御部１５は、消灯対象の照明器具３へ電力供給を停止する。消灯対象の照明器具３への電力供給の停止が不可であると判断部１７が判断した場合、電源制御部１５は、消灯対象の照明器具３への電力供給を維持し、かつ、照明制御部１６は、消灯対象の照明器具３の照明状態が消灯状態となるように制御する。
【００７３】
上記構成により、電力供給の停止が可能と判断された照明器具３への電力供給が停止されることにより待機電力が発生しなくなるので、照明器具３の消費電力の低減を図ることが可能となる。
【００７４】
また、第２態様に係る照明制御システム１０は、第１態様において、電源制御部１５及び照明制御部１６の制御対象として照明器具３が複数あることが好ましい。電源制御部１５は、複数の照明器具３のうち１以上の照明器具３で構成されたグループ３０を単位にして、１つのグループ３０に属する１以上の照明器具３に供給される電力を一括して制御することが好ましい。判断部１７は、消灯対象の照明器具３が属するグループ３０において、当該グループ３０を構成する１以上の照明器具３のうち消灯状態である照明器具３を除いた残りの照明器具３（残照明器具３）の全てが消灯対象であるか否かを判断する対象判断処理を行うことが好ましい。判断部１７は、対象判断処理において、残照明器具３の全てが消灯対象であると判断した場合、消灯対象の照明器具３への電力供給の停止が可能であると判断することが好ましい。
【００７５】
上記構成により、グループ３０内に点灯状態の照明器具３が含まれていない場合、グループ３０内の照明器具３の全てへの電力供給が停止されるので、消費電力のさらなる低減を図ることが可能となる。
【００７６】
また、第３態様に係る照明制御システム１０は、第１態様において、照明制御部１６及び電源制御部１５の制御対象として照明器具３が複数あることが好ましい。電源制御部１５は、複数の照明器具３のうち１以上の照明器具３で構成されたグループ３０を単位にして、１つのグループ３０に属する１以上の照明器具３に供給される電力を一括して制御することが好ましい。判断部１７は、消灯対象の照明器具３が属するグループ３０において、当該グループ３０を構成する１以上の照明器具３のうち消灯状態である照明器具３を除いた残りの照明器具３（残照明器具３）の全てが消灯対象であるか否かを判断する対象判断処理を行うことが好ましい。また、判断部１７は、消灯対象の照明器具３が属するグループ３０における全ての照明器具３が、所定の停止可能条件を満たしているか否かを判断する条件判断処理を行うことが好ましい。判断部１７は、対象判断処理において、残照明器具３の全てが消灯対象であると判断し、かつ、条件判断処理において、停止可能条件を満たしていると判断した場合、消灯対象の照明器具３への電力供給の停止が可能であると判断することが好ましい。
【００７７】
上記構成により、判断部１７による、電力供給の停止が可能であるか否かの判断精度が向上し、不要に電力供給が停止されることが抑制される。したがって、照明器具３を点灯させる際に、リレー２をオン状態にして照明器具３の起動時間を待つ頻度が低減し、点灯制御の応答性の向上を図ることが可能となる。
【００７８】
また、第４態様に係る照明制御システム１０は、第３態様において、停止可能条件には、現在時刻が、電力供給の停止が可能な停止時間帯に属しているという時間帯条件が含まれていることが好ましい。
【００７９】
上記構成により、照明器具３を頻繁に点灯させる時間帯に、照明器具３への電力供給が停止されることを抑制することが可能となる。したがって、照明器具３を点灯させる際に、リレー２をオン状態にして照明器具３の起動時間を待つ頻度が低減し、点灯制御の応答性の向上を図ることが可能となる。
【００８０】
また、第５態様に係る照明制御システム１０は、第３又は第４態様において、停止可能条件には、過去の照明状態の履歴が所定条件を満たすという履歴条件が含まれていることが好ましい。
【００８１】
上記構成により、照明器具３の照明状態の履歴に基づいて、近い将来に照明状態が点灯状態になると推測される場合、電力供給が停止されることを禁止することができる。これにより、照明器具３を点灯させる際に、リレー２をオン状態にして照明器具３の起動時間を待つ頻度が低減し、点灯制御の応答性の向上を図ることが可能となる。
【００８２】
また、第６態様に係る照明制御システム１０は、第５態様において、照明状態の履歴は、照明状態が、点灯状態から消灯状態に切り替わった回数と、消灯状態から点灯状態に切り替わった回数との少なくとも一方の回数である切替回数であることが好ましい。履歴条件は、過去の所定期間における切替回数が閾値回数以下であるという条件であることが好ましい。
【００８３】
上記構成により、照明器具３が頻繁に点灯された履歴がある場合、近い将来に照明状態が点灯状態になる可能性が高いと推測され、電力供給が停止されることを禁止することができる。これにより、照明器具３を点灯させる際に、リレー２をオン状態にして照明器具３の起動時間を待つ頻度が低減し、点灯制御の応答性の向上を図ることが可能となる。
【００８４】
また、第７態様に係る照明制御システム１０は、第３〜第６態様のいずれか１つの態様において、停止可能条件には、スケジュール条件が含まれていることが好ましい。スケジュール条件は、照明状態の変化のスケジュールにおいて、照明状態が消灯状態から点灯状態に切り替えられる点灯予定時刻が、現在時刻から所定時間以降であるという条件であることが好ましい。
【００８５】
上記構成により、近い将来に照明器具３が点灯する予定がある場合、照明器具３への電力供給の停止を禁止することができる。これにより、照明器具３を点灯させる際に、リレー２をオン状態にして照明器具３の起動時間を待つ頻度が低減し、点灯制御の応答性の向上を図ることが可能となる。
【００８６】
また、第８態様に係る照明制御システム１０は、第２〜第７態様のいずれか１つの態様において、情報出力部１８を備えることが好ましい。情報出力部１８は、対象判断処理において、残照明器具３に消灯対象ではない照明器具３が含まれていると判断部１７が判断した場合、消灯対象ではない照明器具３に対するグループ３０の再編成の提案情報を出力することが好ましい。
【００８７】
上記構成により、残照明器具３に消灯対象ではない照明器具３が含まれていることにより照明器具３への電力供給を停止できないような場合に、グループ３０の再編成を提案することで、照明器具３への電力供給の停止を図ることができる。これにより、照明器具３の消費電力の低減を図ることが可能となる。
【００８８】
また、第９態様に係る照明制御方法は、電源制御ステップと照明制御ステップと判断ステップと含む。電源制御ステップは、照明器具３に供給される電力を制御する。照明制御ステップは、照明器具３の照明状態を制御する。判断ステップは、消灯対象の照明器具３への電力供給の停止が可能であるか否かを判断する。消灯対象の照明器具３への電力供給の停止が可能であると判断ステップで判断された場合、電源制御ステップにおいて、消灯対象の照明器具３へ電力供給を停止する。消灯対象の照明器具３への電力供給の停止が不可であると判断ステップで判断された場合、電源制御ステップにおいて、消灯対象の照明器具３への電力供給を維持する。かつ、照明制御ステップにおいて、消灯対象の照明器具３の照明状態が消灯状態となるように制御する。
【００８９】
上記方法により、電力供給の停止が可能と判断された照明器具３への電力供給が停止されることにより待機電力が発生しなくなるので、照明器具３の消費電力の低減を図ることが可能となる。
【００９０】
また、第１０態様に係るプログラムは、コンピュータを、第１〜第８態様のいずれか１つの態様に係る照明制御システム１０として機能させる。
【００９１】
上記プログラムにより、電力供給の停止が可能と判断された照明器具３への電力供給が停止されることにより待機電力が発生しなくなるので、照明器具３の消費電力の低減を図ることが可能となる。
【００９２】
なお、上述した実施形態１，２は本発明の一例である。このため、本発明は、上述の実施形態１，２に限定されることはなく、この実施形態１，２以外であっても、本発明に係る技術的思想を逸脱しない範囲であれば、設計等に応じて種々の変更が可能であることはもちろんのことである。
【符号の説明】
【００９３】
１０  照明制御システム
１５  電源制御部
１６  照明制御部
１７  判断部
１８  情報出力部
３（３Ａ〜３Ｆ）  照明器具
【図１】
2018006221.tif 000003
【図２】
2018006221.tif 000004
【図３】
2018006221.tif 000005
【図４】
2018006221.tif 000006
【図５】
2018006221.tif 000007
【図６】
2018006221.tif 000008